(57)【要約】  【課題】  ２本の刃体を枢着して開閉操作される理美容鋏であって、枢着により刃体の重合部分に生ずる隙間を無くし、髪などの切り屑の挟まるのを防ぐことのできる理美容鋏を提供することにある。【解決手段】  理美容鋏には、そのいずれか一方の前記刃体に、開閉操作により刃体同士が重合し合う枢着軸付近の前記重合する面に、刃体同士の間に生ずる隙間を埋めるパッキングを備えた。  【選択図】  図１
2005348866.tif 000002
【特許請求の範囲】
【請求項１】
２本の刃体を枢着して開閉操作される理美容鋏であって、
いずれか一方の前記刃体には、開閉操作により刃体同士が重合し合う枢着軸付近の前記重合する面に、刃体同士の間に生ずる隙間を埋めるパッキングを備えたことを特徴とする理美容鋏。
【請求項２】
パッキングが、重合する面に凹設された収納部に収納されたことを特徴とする請求項１記載の理美容鋏。
【請求項３】
パッキングの表面が滑面であることを特徴とする請求項１又は２記載の理美容鋏。
【請求項４】
パッキングが、重合面に挟まれて際には前記重合面の表面形状に追従して変形可能な材質であることを特徴とする請求項１〜３のいずれか記載の理美容鋏。
【請求項５】
パッキングが、ポリスライダー（登録商標）によることを特徴とする請求項１〜４のいずれか記載の理美容鋏。
【請求項６】
パッキングが、枢着軸に貫通される状態で備えられることを特徴とする請求項１〜５のいずれか記載の理美容鋏。
【発明の詳細な説明】
【技術分野】
【０００１】
この発明は、理美容鋏の改良に関し、詳しくは、２本の刃体が枢着された理美容鋏の、枢着軸付近に髪の切り屑が挟まらない改良に関する。
【背景技術】
【０００２】
理美容鋏（以下、単に「鋏」ともいう）１０１は、図１０に示すように、２本の刃体１０２，１０３を枢着し、この刃体１０２，１０３を開閉操作させ、交差する刃部により髪を切るものである。以前は、刃部１０２，１０３の刃裏１０５，１０５が平面になっているものもあったが、今は裏スキの形成されているのが通常である。これは、鋏は刃先同士が接触していないと髪を切ることができないが、鋏１０１の刃裏１０５が平面であるとこの刃裏１０５，１０５同士が接触し、これが刃先同士の接触を邪魔する傾向にあるからである。
【０００３】
その為に、現在、刃体１０２の刃裏１０５は、刃裏を凹曲させた裏スキ１０６が、図６の概念図に示す様な断面円弧状に形成されているのが通常である。この様な裏スキ１０６は、図７に示す様な円盤砥石２００で刃裏１０５を凹設させるので、図６に示した様な凹曲した円弧状となるのであり、この様な裏スキ１０６が図８に示すように、刃裏１０５の全体に設けられているのである。また、裏スキ１０６の基端側は、その終縁１０８が図８に示した様に略円弧状となる。そして、その終縁１０８の外側には凹設の成されていない箇所１０９として残り、これが触点Ｐとして形成されることとなる（特許文献１参照、特許文献２参照）。
【０００４】
この触点Ｐは、図９に示す様に、相手の刃体の触点Ｐと接触しあって、交差する刃先同士に適度な触圧を得られる様になっている。即ち、鋏１０１は、その刃体１０２，１０３の長手方向が刃裏１０５側に凹曲する様に形成されている。そして、これら２つの刃体１０２，１０３の凹曲を向かい合わせにして、枢着軸Ｋとなるネジで締めることにより、触点Ｐ，Ｐと刃先の交点Ｑとが押圧しあい、結果、刃先同士には、髪を切るのに必要な触圧が良好に得られる様になっている（特許文献３参照）。
【０００５】
従って鋏の枢着軸付近は、以上に述べた「裏スキの凹曲（図６参照）」と、「触圧の為の凹曲（図９参照）」とにより、２本の刃体の間に隙間が生じている。
【０００６】
【特許文献１】特開２００３−６２３６２号公報
【特許文献２】特開２００３−１５９４８５号公報
【特許文献３】特開２００３−２６０２７７号公報
【発明の開示】
【発明が解決しようとする課題】
【０００７】
この様な隙間があると、鋏１０１を開閉操作する際には、この隙間に髪の切り屑が、図１０の矢印Ｒに示すよう入り込み、挟まることがある。この様な切り屑は不衛生となり、衛生的であることを要する理美容にとっては不具合である。またこの様な髪の切り屑は、整髪料などが付着していたりするのでこれが次第に固まり、結果、開閉操作に支障になったりする。その為に、枢着軸のネジを外して刃裏の掃除をすることがある。
【０００８】
ただこの様な隙間が生ずるのは、理美容鋏に裏スキ等が必要であることによるので、避けることができない。よって本願発明の目的は、枢着により刃体の重合部分に生ずる隙間を無くし、髪などの切り屑の挟まるのを防ぐことのできる理美容鋏を提供することにある。
【課題を解決するための手段】
【０００９】
本願請求項１記載の発明は、２本の刃体を枢着して開閉操作される理美容鋏であって、
いずれか一方の前記刃体には、開閉操作により刃体同士が重合し合う枢着軸付近の前記重合する面に、刃体同士の間に生ずる隙間を埋めるパッキングを備えたことを特徴とする。
これにより、刃体に裏スキが設けられていても、重合部分の隙間を無くすことができ、髪の切り屑などの挟まることが無くなる。
【００１０】
請求項２記載の発明は、パッキングが、重合する面に凹設された収納部に収納されたことを特徴とする。
これにより、パッキングの重合する面（以下、「重合面」という）への備えが安定して、開閉操作によりパッキングがズレたり、鋏から脱落することが無くなる。またパッキングの重合面からの突き出る厚さを収納部の深さにより調整することができるので、隙間を無くす構成の実現が容易になる。
【００１１】
請求項３記載の発明は、パッキングの表面が滑面であることを特徴とする。
これにより、パッキングが、相手刃体の刃裏に接触していても摩擦抵抗を抑えることができ、開閉操作のスムーズさが維持できる。
【００１２】
請求項４記載の発明は、パッキングが、重合面に挟まれて際には前記重合面の表面形状に追従して変形可能な材質であることを特徴とする。
これにより、パッキングとこのパッキングが摺擦する相手の重合面とが密着可能となり、細かな屑や整髪料などであっても挟まることがきわめて少なくなる。
【００１３】
請求項５記載の発明は、パッキングが、ポリスライダー（登録商標）によることを特徴とする。
ポリスライダーはポリスライダーは摩擦係数が小さいので鋏の開閉操作のスムーズさに優れ、また耐クリープ性が良いので摺擦に対する機械的強度にも優れる。
【００１４】
請求項６記載の発明は、パッキングが、枢着軸に貫通される状態で備えられることを特徴とする。
これにより、パッキングの鋏からの脱落防止が一層確かとなり、また枢着軸の周囲全周にパッキングを備えることができるので、切り屑の挟まる隙間を広範囲にわたり無くすことができる。
【発明の効果】
【００１５】
本願発明によれば、鋏の枢着軸付近は開閉操作の際に、髪の切り屑などがその隙間に入りやすかったが、この様なことを防ぐことができる。またパッキングが相手刃体の重合面の形状に追従でき、更に回動操作の際の隙間の変化や、ネジ締めにより隙間の広狭変化にも追従できる。これらの場合であっても、パッキングによる摩擦抵抗はほとんど無く、開閉操作のスムーズさに支障がない。
【発明を実施するための最良の形態】
【００１６】
次に、本願発明の理美容鋏の実施例を以下に示す。
この鋏１は、図１に示す様に、２本の刃体２，３を枢着して開閉操作されるものである。
一方の刃体２には、開閉操作により刃体２，３同士が重合し合う枢着軸Ｋ付近の重合する面４に、刃体２，３同士の間に生ずる隙間を埋めるパッキング１０を備えている。
【００１７】
このパッキング１０は図２に示す様な形状を成し、樹脂製品の一つであるポリスライダー（登録商標）によるシートを、鋏１の枢着軸Ｋ付近にある開閉操作により刃体２，３同士が重合し合う面４に備えたものである。またこのシートはポリスライダー（登録商標）を用いている。このポリスライダーは、扁平状黒鉛入りの四フッ化エチレン樹脂であって、耐クリープ性が良く、摩擦係数が小さいという特質があるので、パッキング１０の表面１１が滑面となっている。
２本の刃体２，３は、その刃裏５側が図４に示す様に裏スキ６の設けられた形状になっているが、その内の一方の刃体２は、刃体２，３同士の重合面となる部分４に、図４に示す様なパッキング１０の平面形状と同形状の収納部７が、パッキング１０の薄さに対応して浅く凹設されている。またこの収納部７は、枢着軸Kのネジ穴Ｋａがその底部７ａを貫通する配置で凹設されている。収納部７の外周面となる柄部側には触点Ｐが形成されている。そして、収納部にパッキング１０を収納させて図５の様な状態にして、これら２本を枢着すると、図１に示した様な鋏１になる。
【００１８】
この鋏１を開閉操作すると、裏スキ６の凹曲（図４，図８参照）と、触圧の為の凹曲（図９参照）により生じていた刃体同士の隙間を埋めて無くすので、ここに髪の切り屑などが入ったり、挟まったりする様なこともない。またこのパッキング１０は表面１１が滑面になっているので、相手刃体の重合面に押圧されていても開閉操作の際には摩擦抵抗などの支障もない。
【００１９】
また隙間は凹曲によるので、隙間間隔は一様ではないが、ここに厚みの一様なシート状パッキングを挟んでも、パッキングが重合面の表面形状に追従できるので、相手刃体の重合面とパッキングとが密着でき、微細なゴミや整髪料の隙間への侵入を防ぐことができる。更には、重合面が凹曲していると、開閉操作の途中では、隙間の間隔が変化するが、この様な場合であってもパッキングは、開閉操作と共に変化する重合面の間隔変化にも追従できる。またネジは締めの強い／弱いにより、鋏の触圧調整ができるようになっているが、この締め調整に伴い、枢着軸付近の隙間も広狭変化する。しかしこの様な変化にもパッキングの厚みが追従できるのである。
【００２０】
或いは、隙間間隔の狭い箇所では、パッキングをきつく締めることとなる。この様な場合であっても、パッキングの表面が摩擦係数の小さな優れた滑面となっているので、やはり開閉操作に支障がない。
【００２１】
また、このパッキングは、そのポリスライダーの性質上、機械的強度もあり、頻繁に成される開閉操作にあっても、破損、変形などを生ずることが無く、永くその効果を維持しながら使用することができる。
【００２２】
またパッキングには既製品のポリスライダーを用いればよいが、パッキングの表面を、収納部を凹設させる重合面からどの程度突き出させるか、或いは突き出さないかなどは、収納部を設ける際にその深さを調整すれば、細かく選択できる。
【００２３】
なお、本願発明は上記実施例に限るものではなく、発明の趣旨を逸脱しない範囲でどのように実施されても良い。パッキングの形状は上記実施例に限るものではなく、様々に工夫して良い。パッキングの材質も、樹脂に限らずどのようなものでもよい。
【図面の簡単な説明】
【００２４】
【図１】この図は、実施例に示した理美容鋏である。
【図２】この図は、パッキングの図である。
【図３】この図は、図１の理美容鋏の刃体の一方の図であって、パッキングを備えていない側の刃体の刃裏側の図である。
【図４】この図は、図１の理美容鋏の刃体のもう一方の図であって、パッキングを備える為の収納部を説明する図である。
【図５】この図は、図４の刃体にパッキングを備えさせた図である。
【図６】この図は、裏スキを説明する図である。
【図７】この図は、裏スキの形成過程を説明する図である。
【図８】この図は、従来の鋏の刃裏の説明である。
【図９】この図は、従来の鋏の図であり、次の図１０のアングルを鋏の正面図とした場合に、平面図となるアングルから鋏を見た図である。
【図１０】この図は、従来の鋏の図である。
【符号の説明】
【００２５】
１  理美容鋏
２、３  刃体
４  重合面
５  刃裏
６  裏スキ
７  収納部
１０  パッキング
１１  パッキングの表面
Ｐ  触点
【図１】
2005348866.tif 000003
【図２】
2005348866.tif 000004
【図３】
2005348866.tif 000005
【図４】
2005348866.tif 000006
【図５】
2005348866.tif 000007
【図６】
2005348866.tif 000008
【図７】
2005348866.tif 000009
【図８】
2005348866.tif 000010
【図９】
2005348866.tif 000011
【図１０】
2005348866.tif 000012